(57)【要約】【課題】電力量計を用いた検針作業を効率的かつ迅速に行う。【解決手段】本発明の一態様は、使用された電力量を検出する手段９と、手段９によって検出された電力量に基づいて、現在の電力量の使用状態を表す現在画面データを作成する第１の作成手段１０ｃと、手段９によって検出された電力量に基づいて、検針されるデータを表す検針画面データを作成する第２の作成手段１０ｄと、検針実行イベントを検出する手段１０ｂと、検針実行イベントが検出されない場合に、現在画面データと検針画面データとの切換タイミングに応じて、現在画面データと検針画面データのうちの一方を選択し、検針実行イベントが検出された場合に、検針画面データを選択する手段１０ｇと、選択手段１０ｇによって選択されたデータの内容を表示する手段１２とを具備する電力量計１６である。【選択図】      図１
2005172612.tif 000002
【特許請求の範囲】
【請求項１】
使用された電力量を検出する電力量検出手段と、
前記電力量検出手段によって検出された電力量に基づいて、現在の電力量の使用状態を表す現在画面データを作成する第１の作成手段と、
前記電力量検出手段によって検出された電力量に基づいて、検針されるデータを表す検針画面データを作成する第２の作成手段と、
検針実行イベントを検出する検出手段と、
前記検針実行イベントが検出されない場合に、前記現在画面データと前記検針画面データとの切換タイミングに応じて、前記現在画面データと前記検針画面データのうちの一方を選択し、検針実行イベントが検出された場合に、前記検針画面データを選択する選択手段と、
前記選択手段によって選択されたデータの内容を表示する手段と
を具備する電力量計。
【請求項２】
請求項１記載の電力量計において、
前記検針実行イベントは、検針確定ボタンの押下に基づいて検出されることを特徴とする電力量計。
【請求項３】
請求項１又は請求項２記載の電力量計において、
前記検針実行イベントは、現在時刻が所定の検針確定日になった場合に検出されることを特徴とする電力量計。
【請求項４】
請求項１又は請求項２記載の電力量計において、
前記検針実行イベントは、現在時刻が所定の検針作業予定日になった場合に検出されることを特徴とする電力量計。
【請求項５】
請求項１乃至請求項４のいずれか１項に記載の電力量計において、
前記第１の作成手段、前記第２の作成手段、前記検出手段、前記選択手段としての処理は、プログラムにしたがって動作する演算手段によって実現されることを特徴とする電力量計。
【請求項６】
電力量計に具備されている演算手段によって読み込まれ、実行されるプログラムであって、
前記演算手段に、
前記電力量計に具備されている使用された電力量の検出手段によって検出された電力量に基づいて、現在の電力量の使用状態を表す現在画面データを作成する第１の作成機能、
前記電力量の検出手段によって検出された電力量に基づいて、検針されるデータを表す検針画面データを作成する第２の作成機能、
検針実行イベントを検出する機能、
前記検針実行イベントが検出されない場合に、前記現在画面データと前記検針画面データとの切換タイミングに応じて、前記現在画面データと前記検針画面データのうちの一方を選択し、検針実行イベントが検出された場合に、前記検針画面データを選択する選択機能、
前記選択手段によって選択されたデータの内容を前記電力量計の表示手段に表示させる機能
を実現させるためのプログラム。
【発明の詳細な説明】
【技術分野】
【０００１】
本発明は、使用電力量を計量する電力量に関する。
【背景技術】
【０００２】
従来の電力量計（例えば、特許文献１）は、電気の供給者から電気の需要者に電気が供給された場合に、需要者の使用電力量を計量し、表示する。
【０００３】
従来の電子式電力量計は、検針確定が行われた場合、検針確定が行われた時点における使用電力量を記録する。
【０００４】
検針確定は、検針作業者が従来の電子式電力量計に対して手動で行う場合がある。また、検針確定は、電子式電力量計によって自動で行われる場合もある。
【０００５】
従来の電子式電力量計は、表示部の小型化と簡素化を図ることを目的として、現時点における使用電力量の値を示す現在画面と、検針確定時に記録された使用電力量であり検針作業者が検針作業を行う場合に用いる使用電力量の検針値を示す検針画面とを、所定の時間間隔で周期的に表示する。
【０００６】
図９は、従来の電子式電力量計による現在画面と検針画面との切替え状態の第１の例を示す図である。
【０００７】
電子式電力量計には、現在画面表示時間（例えばＡ秒）と検針画面表示時間（例えばＢ秒）とが予め設定されている。
【０００８】
電子式電力量計は、ソフトウェアなどによる時間カウンタを用いて現在画面表示時間のカウントと検針画面表示時間のカウントを交互に行う。
【０００９】
現在画面表示時間のカウントが終了した切換タイミングの時点で、電子式電力量計は、現在画面から検針画面に表示を切り換える。
【００１０】
検針画面表示時間のカウントが終了した切換タイミングの時点で、電子式電力量計は、検針画面から現在画面に表示を切り換える。
【００１１】
従来の電子式電力量計では、手動により検針確定が行われた場合であっても、現在画面と検針画面についての切換タイミングは検針確定と無関係に発生する。
【００１２】
したがって、例えば上記図９に示すように、検針作業者が電子式電力量計の設置場所に到達し、現在画面の表示中に手動で検針確定を行った場合、検針作業者は、検針確定から現在画面表示時間のカウントが終了し、次に検針画面が表示されるまでの時間（待機時間ＷＴ１）が経過するまで、待機しなければならない。
【００１３】
図１０は、従来の電子式電力量計による現在画面と検針画面との切替え状態の第２の例を示す図である。
【００１４】
例えばこの図１０に示すように、検針作業者が電子式電力量計の設置場所に到達し、現在画面の表示中に検針作業を開始し、自動で検針確定が行われる場合、検針作業者は、現在画面表示時間のカウントが終了し、次に検針画面が表示されるまでの時間（待機時間ＷＴ２）、待機しなければならない。
【００１５】
また、検針画面から現在画面に切り換えられる前の検針画面の表示中に検針作業者が検針作業を開始し、この検針画面の表示中に検針値を読み取ることができず、自動で検針確定が行われる場合、検針作業者は、次に検針画面が表示されるまでの時間（待機時間ＷＴ３）、待機しなければならない。
【特許文献１】実開平４−１５０６８号公報
【発明の開示】
【発明が解決しようとする課題】
【００１６】
上述したように、従来の電子式電力量計では、手動により検針確定が行われた場合であっても、現在画面と検針画面についての切換タイミングは検針確定と無関係に発生する。
【００１７】
したがって、検針作業者は、検針画面が表示されるまでの間、検針作業を待機しなければならない場合があり、検針作業を効率的かつ迅速に行うことが困難な場合がある。
【００１８】
本発明は、以上のような実情に鑑みてなされたもので、検針作業を効率的かつ迅速に行うための電力量計を提供することを目的とする。
【課題を解決するための手段】
【００１９】
本発明を実現するにあたって講じた具体的手段について以下に説明する。
【００２０】
本発明の実施例は、使用された電力量を検出する電力量検出手段と、電力量検出手段によって検出された電力量に基づいて、現在の電力量の使用状態を表す現在画面データを作成する第１の作成手段と、電力量検出手段によって検出された電力量に基づいて、検針されるデータを表す検針画面データを作成する第２の作成手段と、検針実行イベントを検出する検出手段と、検針実行イベントが検出されない場合に、現在画面データと検針画面データとの切換タイミングに応じて、現在画面データと検針画面データのうちの一方を選択し、検針実行イベントが検出された場合に、検針画面データを選択する選択手段と、選択手段によって選択されたデータの内容を表示する手段とを具備する電力量計である。
【発明の効果】
【００２１】
本発明においては、正確、効率的かつ迅速な検針作業を実現できる。
【発明を実施するための最良の形態】
【００２２】
以下、図面を参照しながら本発明の実施の形態について説明する。なお、以下の各実施の形態において、同様の部分については同様の符号を付して説明を省略する。
【００２３】
（第１の実施の形態）
本実施の形態では、電気の供給者から電気の需要者に電気が供給された場合に、需要者の使用電力量を計量し、表示する電子式の電力量計について説明する。
【００２４】
本実施の形態では、手動で検針確定が行われた場合に、検針確定から検針画面表示時間が経過するまで、検針画面データの内容を表示する電力量計について説明する。
【００２５】
図１は、本実施の形態に係る電力量計の一例を示すブロック図である。
【００２６】
電力量計１は電子式の電力量計である。電力量計１は、電力供給設備２から負荷３に供給される電力量を計量する。
【００２７】
電力量計１は、入力端子４、内部導体６ａ，６ｂ、出力端子７、電力検出部９、中央演算部１０、検針ボタン１１、表示部１２を具備する。
【００２８】
電力計量１の入力端子４は、電力供給設備２と配電線５によって接続されている。入力端子４は、配電線５に含まれる第１電線５ａの一端と内部導体６ａの一端とを通電可能とし、配電線５に含まれる第２電線５ｂの一端と内部導体６ｂの一端とを通電可能とする。
【００２９】
電力計量１の出力端子７は、負荷３と配電線８によって接続されている。出力端子７は、配電線８に含まれる第１電線８ａの一端と内部導体６ａの他端とを通電可能とし、配電線８に含まれる第２電線８ｂの一端と内部導体６ｂの他端とを通電可能とする。
【００３０】
すなわち、電力計量１の入力端子４と出力端子７は、電力量計１の内部導体６ａ，６ｂによって接続されている。
【００３１】
電力検出部９は、電圧検出部９ａ、電流検出部９ｂ、電力演算部９ｃを具備し、電力を検出する。
【００３２】
電圧検出部９ａは、入力端子４から、電力供給設備２から負荷３に供給される電力に対する電圧成分を電気信号として検出する。例えば、電圧検出部９ａは、内部導体６ａ，６ｂ間の電圧を検出する。
【００３３】
電流検出部９ｂは、内部導体６ａから電流成分を電気信号として検出する。
【００３４】
電力演算部９ｃは、電圧成分の電気信号と電流成分の電気信号とに基づいて、電圧成分と電流成分の積を求め、電力量を演算する。
【００３５】
中央演算部１０は、計時部１０ａ、検針検出部１０ｂ、現在画面作成部１０ｃ、検針画面作成部１０ｄ、現在画面カウンタ１０ｅ、検針画面カウンタ１０ｆ、選択部１０ｇ、表示制御部１０ｈを具備する。なお、本実施の形態では、中央演算部１０による処理は、ソフトウェアを用いて実現されるとする。
【００３６】
計時部１０ａは、現在時刻を計時する。
【００３７】
検針検出部１０ｂは、検針ボタン１１が押されたか否かにより検針確定を検出する。本実施の形態では、検針ボタン１１が押された場合に、検針実行イベントが発生したとする。
【００３８】
現在画面作成部１０ｃは、電力演算部９ｃによって演算された電力量を累積し、使用電力量を求める。そして、現在画面作成部１０ｃは、使用電力量及び計時部１０ａによって計時される現在時刻に基づいて、現在画面データを作成する。
【００３９】
例えば、現在画面データには、現在日時を示すデータ、全日使用電力量（当日の使用使用量）を示すデータ、３０分単位の需要電力を示すデータ、力測電力量（８時〜２２時の使用電力量）を示すデータ、需要電力の最大値を示すデータが含まれる。
【００４０】
検針画面作成部１０ｄは、電力演算部９ｃによって演算された電力量を累積し、使用電力量を求める。そして、検針画面作成部１０ｄは、検針検出部１０ｂによって検針確定が検出された場合に、使用電力量及び計時部１０ａによって計時される現在時刻に基づいて、検針画面データを作成する。
【００４１】
例えば、検針画面データには、検針画面である旨を示す表示データ、検針確定が行われた月日を示すデータ、累積の使用電力量を示すデータ、検針確定の間隔毎の最大需要電力を示すデータ、累積の力測電力量を示すデータ、累積の最大需要電力を示すデータ、力率を示すデータが含まれる。
【００４２】
現在画面カウンタ１０ｅは、現在画面表示時間のカウントに用いられる。
【００４３】
検針画面カウンタ１０ｆは、検針画面表示時間のカウントに用いられる。
【００４４】
選択部１０ｇは、現在画面カウンタ１０ｅにより現在画面から検針画面への切換タイミングを検出するとともに検針画面カウンタ１０ｆにより検針画面から現在画面への切換タイミングを検出する。
【００４５】
選択部１０ｇは、検針検出部１０ｂによって検針確定が検出されていない場合（通常の状態）に、現在画面から検針画面への切換タイミングが検出されると検針画面データを選択し、検針画面から現在画面への切換タイミングが検出されると現在画面データを選択する。
【００４６】
選択部１０ｇは、検針検出部１０ｂによって検針確定が検出された場合に、現在画面カウンタ１０ｅをクリアし、検針画面カウンタ１０ｆによるカウントを開始させるとともに、検針画面作成部１０ｄによって作成された検針画面データを選択する。その後、選択部１０ｇは、通常の状態の動作を継続する。
【００４７】
表示制御部１０ｈは、選択部１０ｇによって選択された現在画面データ又は検針画面データの内容を表示部１２に表示させるための制御を実行する。
【００４８】
表示部１２は、現在画面データ又は検針画面データに基づいて現在画面又は検針画面を表示する。
【００４９】
図２は、本実施の形態に係る電力量計１の表示部１２に現在画面が表示された状態の一例を示す正面図である。
【００５０】
電力量計１の表示部１２に表示される現在画面１３は、現在日時の表示領域Ｅ１、全日使用電力量の表示領域Ｅ２、３０分単位の需要電力の表示領域Ｅ３、力測電力量の表示領域Ｅ４、需要電力の最大値の表示領域Ｅ５を具備する。各表示領域Ｅ１〜Ｅ５には、現在画面データに基づいて、それぞれ現在日時、全日使用電力量、３０分単位の需要電力、力測電力量、需要電力の最大値が表示される。
【００５１】
図３は、本実施の形態に係る電力量計１の表示部１２に検針画面が表示された状態の一例を示す正面図である。
【００５２】
電力量計１の表示部１２に表示される検針画面１４には、検針画面である旨を示すマーク１５が表示される。
【００５３】
さらに、電力量計１の検針画面１４は、検針確定が行われた月日の表示領域Ｆ１、累積の使用電力量の表示領域Ｆ２、検針確定の間隔毎の最大需要電力の表示領域Ｆ３、累積の力測電力量の表示領域Ｆ４、累積の最大需要電力の表示領域Ｆ５、力率の表示領域Ｆ６を具備する。各表示領域Ｆ１〜Ｆ５には、検針画面データに基づいて、それぞれ検針確定が行われた月日、累積の使用電力量、検針確定の間隔毎の最大需要電力、累積の力測電力量、累積の最大需要電力、力率が表示される。
【００５４】
図４は、本実施の形態に係る電力量計１による現在画面と検針画面との切換状態の一例を示す図である。
【００５５】
電力量計１では、現在画面表示時間（例えばＡ秒）と検針画面表示時間（例えばＢ秒）とが予め設定されている。
【００５６】
通常の状態では、現在画面表示時間の経過時に現在画面から検針画面への切り換えが行われ、検針画面表示時間の経過時に検針画面から現在画面への切り換えが行われる。
【００５７】
例えば、現在画面表示時間の経過する前の時点（現在画面が表示されてからＣ秒経過後）に、手動により検針確定が行われた場合、ソフトウェア内部の現在画面カウンタ１０ｅがクリアされ検針画面が表示されると同時に、検針画面カウンタ１０ｆのカウントが開始される。
【００５８】
検針画面が検針画面表示時間を経過するまで表示されると、検針画面が現在画面に切り換えられ、その後、現在画面表示時間が経過するまで現在画面が表示され、検針画面表示時間が経過するまで検針画面が表示される通常の周期状態に戻る。
【００５９】
図５は、本実施の形態に係る電力量計１による処理の一例を示すフローチャートである。
【００６０】
ステップＳ１において、計時部１０ａは、現在時刻の計時を開始する。
【００６１】
ステップＳ２において、選択部１０ｇは、交互に、現在画面カウンタ１０ｅを用いた現在画面表示時間のカウントと検針画面カウンタ１０ｆを用いた検針画面表示時間のカウントを実行する処理を開始する。
【００６２】
ステップＳ３において、電力検出部９は、負荷３において使用された電力量を検出する。
【００６３】
ステップＳ４において、現在画面作成部１０ｃは、現在画面データを作成する。
【００６４】
ステップＳ５において、検針検出部１０ｂは、検針ボタン１１による検針確定が検出されたか否か判断する。
【００６５】
検針確定が検出された場合、ステップＳ６において、検針画面作成部１０ｄは、検針画面データを作成する。
【００６６】
また、ステップＳ７において、選択部１０ｇは、検針画面カウンタ１０ｆを用いた検針画面表示時間のカウントを開始し、ステップＳ１０に処理が移る。
【００６７】
なお、ステップＳ６とステップＳ７の実行順序は逆でもよく、ステップＳ６とステップＳ７とは並列に実行されるとしてもよい。
【００６８】
検針確定が検出されない場合、ステップＳ８において、選択部１０ｇは、現在画面カウンタ１０ｅを用いて現在画面表示時間をカウント中であるか検針画面カウンタ１０ｆを用いて検針画面表示時間をカウント中であるかに基づいて、現在画面表示時間であるか検針画面表示時間であるか判断する。
【００６９】
現在画面表示時間の場合、ステップＳ９において、選択部１０ｇは、現在画面データを選択する。
【００７０】
一方、上記ステップＳ７が実行された場合又は上記ステップＳ８において検針画面表示時間と判断された場合、ステップＳ１０において、選択部１０ｇは、検針画面データを選択する。
【００７１】
ステップＳ１１において、表示制御部１０ｈは、選択されたデータの表示制御を行う。
【００７２】
ステップＳ１２において、表示部１２は、選択されたデータを表示する。
【００７３】
ステップＳ１３において、電力量計１は、処理を継続するか判断する。処理を継続する場合には、ステップＳ３に戻る。処理を継続しない場合には、処理が終了する。
【００７４】
以上説明した本実施の形態では、検針作業において、検針確定が検出された時点から、検針画面が検針画面表示時間を経過するまで表示される。したがって、検針画面が表示されるまで検針作業者が待機する必要がなく、検針作業を短縮及び効率化できる。
【００７５】
また、検針作業中に、検針作業者の知らないうちに検針画面が現在画面に切り換わっているなどを原因とする検針ミスが発生することを防止できる。
【００７６】
また、本実施の形態では、既に備えられている検針ボタン１１を用いるとともに、ソフトウェアにより検針確定時の検針画面の表示を行うため、上記の電力量計１の構成は、大規模な回路を付加することなく容易に実現することができ、容易に上記の効果を得ることができる。
【００７７】
（第２の実施の形態）
本実施の形態では、予め設定されている設定時間において検針画面を表示し、この設定時間でなければ現在画面と検針画面とを周期的に表示する電子式の電力量計について説明する。なお、本実施の形態では、設定時間として検針確定日が設定されているとする。
【００７８】
図６は、本実施の形態に係る電力量計の一例を示すブロック図である。
【００７９】
電力量計１６は、上記第１の実施の形態で説明した電力量計１とほぼ同様であるが、中央演算部が異なり、記録部１７をさらに具備する。電力量計１６において、上記第１の実施の形態で述べた検針ボタン１１は具備していてもよく、具備していなくてもよい。本実施の形態では、電力量計１６は検針ボタン１１を具備していない場合について説明する。
【００８０】
記録部１７には、検針確定を実施する日を示す検針確定日データ１７ａが記録されている。
【００８１】
電力量計１６の中央演算部１８は、検針検出部１８ａ、検針画面作成部１８ｂ及び選択部１８ｃが、上記第１の実施の形態で説明した電力量計１の中央演算部１０の検針検出部１０ｂ、検針画面作成部１０ｄ及び選択部１０ｇと異なるが、他の部分については同様である。
【００８２】
検針検出部１８ａは、記録部１７に記録されている検針確定日データ１７ａと計時部１０ａによって計時されている現在時刻とに基づいて、現在時刻が検針確定日に属する場合に、検針確定を検出する。本実施の形態では、現在時刻が検針確定日になった場合に、検針実行イベントが発生したとする。
【００８３】
検針画面作成部１８ｂは、電力演算部９ｃによって演算された電力量を累積し、使用電力量を求める。そして、検針画面作成部１８ｂは、検針検出部１８ａによって検針確定が検出された検針確定の場合に、使用電力量及び計時部１０ａによって計時される現在時刻に基づいて、検針画面データを作成する。
【００８４】
選択部１８ｃは、現在画面カウンタ１０ｅにより現在画面から検針画面への切換タイミングを検出するとともに検針画面カウンタ１０ｆにより検針画面から現在画面への切換タイミングを検出する。
【００８５】
選択部１８ｃは、検針検出部１８ａによって検針確定が検出されていない場合（通常の状態）に、現在画面から検針画面への切換タイミングが検出されると検針画面データを選択し、検針画面から現在画面への切換タイミングが検出されると現在画面データを選択する。
【００８６】
選択部１８ｃは、検針検出部１８ａによって検針確定が検出されている場合に、検針画面データを選択する。
【００８７】
図７は、本実施の形態に係る電力量計１６による現在画面と検針画面との切換状態の一例を示す図である。
【００８８】
本実施の形態においても、現在画面と検針画面とが、所定の切換タイミングにおいて切り換えられる。
【００８９】
さらに、予め設定されている検針確定日の００時００分になった時点で、検針画面が表示される。その後、検針確定日においては終日検針画面が表示される。
【００９０】
検針確定日の翌日の００時００分になると、通常の状態に戻り、現在画面をＡ秒表示し、検針画面をＢ秒表示する画面の切り換えが再開される。
【００９１】
図８は、本実施の形態に係る電力量計１６による処理の一例を示すフローチャートである。
【００９２】
ステップＴ１は、上記第１の実施の形態におけるステップＳ１と同様である。
【００９３】
ステップＴ２において、選択部１８ｃは、交互に、現在画面カウンタ１０ｅを用いた現在画面表示時間のカウントと検針画面カウンタ１０ｆを用いた検針画面表示時間のカウントを実行する処理を開始する。
【００９４】
ステップＴ３，Ｔ４は、上記第１の実施の形態におけるステップＳ３，Ｓ４と同様である。
【００９５】
ステップＴ５において、検針検出部１８ａは、現在時刻と検針確定日とを比較することにより検針確定が検出されているか否か判断する。
【００９６】
検針確定が検出されている場合、ステップＴ６において、検針画面作成部１８ｂは、検針画面データを作成し、ステップＳ９に処理が移る。
【００９７】
検針確定が検出されていない場合、ステップＴ７において、選択部１８ｃは、現在画面カウンタ１０ｅを用いて現在画面表示時間をカウント中であるか検針画面カウンタ１０ｆを用いて検針画面表示時間をカウント中であるかに基づいて、現在画面表示時間であるか検針画面表示時間であるか判断する。
【００９８】
現在画面表示時間の場合、ステップＴ８において、選択部１８ｃは、現在画面データを選択する。
【００９９】
上記ステップＴ６の後又は上記ステップＴ７において検針画面表示時間と判断された場合、ステップＴ９において、選択部１８ｃは、検針画面データを選択する。
【０１００】
ステップＴ１０において、表示制御部１０ｈは、選択されたデータの表示制御を行う。
【０１０１】
ステップＴ１１において、表示部１２は、選択されたデータを表示する。
【０１０２】
ステップＴ１２において、電力量計１６は、処理を継続するか判断する。処理を継続する場合には、ステップＴ３に戻る。継続しない場合には、処理が終了する。
【０１０３】
以上説明した本実施の形態では、予め設定されている検針確定日において、検針画面が表示される。したがって、検針作業者は検針画面が表示されるまで待機する必要がなく、検針作業を短縮及び効率化できる。
【０１０４】
また、検針作業中に、検針作業者の知らないうちに検針画面が現在画面に切り換わっているなどを原因とする検針ミスが発生することを防止できる。
【０１０５】
また、本実施の形態では、ソフトウェアにより検針確定日に検針画面の表示を行うため、上記の電力量計の構成は、大規模な回路を付加することなく容易に実現することができ、容易に上記の効果を得ることができる。
【０１０６】
（第３の実施の形態）
本実施の形態では、上記第２の実施の形態に係る電力量計１６の変形例について説明する。
【０１０７】
上記第２の実施の形態では、検針作業者による検針作業が検針確定日と異なる日に行われる場合に、この検針作業者による検針作業日が設定時間として設定されているとする。
【０１０８】
これにより、検針確定日と検針作業日が異なる場合であっても、検針作業者の検針作業を短縮及び効率化できる等、上記第２の実施の形態の場合と同様の効果を得ることができる。
【０１０９】
なお、本実施の形態において、設定時間としては、検針作業日の午前中、検針作業日の午後、検針作業日の所定の時間など、様々な時間を設定可能である。
【０１１０】
上記各実施の形態において、作成された検針画面データは、図示しない記録部に記録されるとしてもよい。
【産業上の利用可能性】
【０１１１】
本発明は、電気の供給者から電気の需要者に電気が供給された場合に、需要者の使用電力量を計量する電力量計の分野に有効である。
【図面の簡単な説明】
【０１１２】
【図１】本発明の第１の実施の形態に係る電力量計の一例を示すブロック図。
【図２】同実施の形態に係る電力量計の表示部に現在画面が表示された状態の一例を示す正面図。
【図３】同実施の形態に係る電力量計の表示部に検針画面が表示された状態の一例を示す正面図。
【図４】同実施の形態に係る電力量計による現在画面と検針画面との切換状態の一例を示す図。
【図５】同実施の形態に係る電力量計による処理の一例を示すフローチャート。
【図６】本発明の第２の実施の形態に係る電力量計の一例を示すブロック図。
【図７】同実施の形態に係る電力量計による現在画面と検針画面との切換状態の一例を示す図。
【図８】同実施の形態に係る電力量計による処理の一例を示すフローチャート。
【図９】従来の電子式電力量計による現在画面と検針画面との切替え状態の第１の例を示す図。
【図１０】従来の電子式電力量計による現在画面と検針画面との切替え状態の第２の例を示す図。
【符号の説明】
【０１１３】
１，１６…電力量計、２…電力供給設備、３…負荷、４…入力端子、５，８…配電線、５ａ，８ａ…第１電線、５ｂ，８ｂ…第２電線、６ａ，６ｂ…内部導体、７…出力端子、９…電力検出部、９ａ…電圧検出部、９ｂ…電流検出部、９ｃ…電力演算部、１０，１８…中央演算部、１０ａ…計時部、１０ｂ，１８ａ…検針検出部、１０ｃ…現在画面作成部、１０ｄ，１８ｂ…検針画面作成部、１０ｅ…現在画面カウンタ、１０ｆ…検針画面カウンタ、１０ｇ，１８ｃ…選択部、１０ｈ…表示制御部、１１…検針ボタン、１２…表示部、１７…記録部
【図１】
2005172612.tif 000003
【図２】
2005172612.tif 000004
【図３】
2005172612.tif 000005
【図４】
2005172612.tif 000006
【図５】
2005172612.tif 000007
【図６】
2005172612.tif 000008
【図７】
2005172612.tif 000009
【図８】
2005172612.tif 000010
【図９】
2005172612.tif 000011
【図１０】
2005172612.tif 000012